【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
証券会社により運用・管理されて顧客の注文に基づき有価証券の売買に関する処理を実行するコンピュータにより構成された証券会社サーバと、前記顧客と前記証券会社とを仲介する仲介業者により運用・管理されて仲介に関する処理を実行するために前記顧客が操作する顧客端末装置および前記証券会社サーバとそれぞれネットワークで接続されたコンピュータにより構成された仲介業者サーバとを備え、
前記仲介業者サーバは、
前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行する入力画面送信手段と、
この入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行する売買指示情報受信手段と、
この売買指示情報受信手段により受信した前記売買指示情報に基づき、前記銘柄情報および前記売買数量データを含むか、これらの前記銘柄情報および前記売買数量データに加えて仲介業者口座識別情報を含むか、前記銘柄情報、前記売買数量データ、および前記顧客口座識別情報を含むか、またはこれらの前記銘柄情報、前記売買数量データ、および前記顧客口座識別情報に加えて仲介業者口座識別情報を含む売買取次情報を作成してこの売買取次情報を前記ネットワークを介して前記証券会社サーバに送信する処理を実行する売買取次情報送信手段と、
顧客口座入出金処理手段とを含んで構成され、
前記証券会社サーバは、
前記売買取次情報送信手段により前記仲介業者サーバから前記ネットワークを介して送信されてくる前記売買取次情報に含まれる前記銘柄情報および前記売買数量データを、証券取引所システムまたは他の売買取引システムへ送信することにより前記有価証券の売買処理を実行する売買処理手段と、
仲介業者口座入出金処理手段と、
前記売買処理手段による売買処理を実行して約定した取引についての前記売買数量データと約定単価とを乗じて得られる確定した売付代金データ若しくは買付代金データを含むか、またはこれらの確定した売付代金データ若しくは買付代金データに加えて前記売買取次情報に含まれる前記顧客口座識別情報を含む売買結果情報を、前記ネットワークを介して前記仲介業者サーバに送信する処理を実行する売買結果情報送信手段とを含んで構成され、
前記仲介業者サーバの前記顧客口座入出金処理手段は、
売り注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代金データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行する構成とされ、
前記証券会社サーバの前記仲介業者口座入出金処理手段は、
売り注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の仲介業者口座データベースを検索し、該当する仲介業者の口座の残高データに前記売付代金データを加算することによる前記仲介業者口座データベースへの前記売付代金データの入金処理を含む決済処理、前記仲介業者サーバに前記仲介業者口座識別情報および前記売付代金データを送信することによる前記仲介業者に開設された前記仲介業者の口座のデータ管理用の前記仲介業者口座データベースへの前記売付代金データのネットワークを介した送金処理を含む決済処理、または前記仲介業者以外の業者のシステムに前記仲介業者口座識別情報および前記売付代金データを送信することによる前記仲介業者以外の業者に開設された前記仲介業者の口座のデータ管理用の前記仲介業者口座データベースへの前記売付代金データのネットワークを介した送金処理を含む決済処理のうちの少なくとも一つの決済処理を実行し、
買い注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の前記仲介業者口座データベースを検索し、該当する仲介業者の口座の残高データから前記買付代金データを減算することによる前記仲介業者口座データベースからの前記買付代金データの出金処理を含む決済処理を実行する構成とされている
ことを特徴とする有価証券売買取引システム。
【請求項２】
証券会社により運用・管理されて顧客の注文に基づき有価証券の売買に関する処理を実行するコンピュータにより構成された証券会社サーバと、前記顧客と前記証券会社とを仲介する仲介業者により運用・管理されて仲介に関する処理を実行するために前記顧客が操作する顧客端末装置および前記証券会社サーバとそれぞれネットワークで接続されたコンピュータにより構成された仲介業者サーバとを備え、
前記仲介業者サーバは、
前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行する入力画面送信手段と、
この入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行する売買指示情報受信手段と、
この売買指示情報受信手段により受信した前記売買指示情報に基づき、前記銘柄情報および前記売買数量データを含むか、またはこれらの前記銘柄情報および前記売買数量データに加えて前記顧客口座識別情報を含む売買取次情報を作成してこの売買取次情報を前記ネットワークを介して前記証券会社サーバに送信する処理を実行する売買取次情報送信手段と、
顧客口座入出金処理手段と、
証券会社口座入出金処理手段とを含んで構成され、
前記証券会社サーバは、
前記売買取次情報送信手段により前記仲介業者サーバから前記ネットワークを介して送信されてくる前記売買取次情報に含まれる前記銘柄情報および前記売買数量データを、証券取引所システムまたは他の売買取引システムへ送信することにより前記有価証券の売買処理を実行する売買処理手段と、
この売買処理手段による売買処理を実行して約定した取引についての前記売買数量データと約定単価とを乗じて得られる確定した売付代金データ若しくは買付代金データを含むか、これらの確定した売付代金データ若しくは買付代金データに加えて前記売買取次情報に含まれる前記顧客口座識別情報を含むか、確定した前記売付代金データ若しくは前記買付代金データに加えて証券会社口座識別情報を含むか、または確定した前記売付代金データ若しくは前記買付代金データおよび前記顧客口座識別情報に加えて証券会社口座識別情報を含む売買結果情報を、前記ネットワークを介して前記仲介業者サーバに送信する処理を実行する売買結果情報送信手段とを含んで構成され、
前記仲介業者サーバの前記顧客口座入出金処理手段は、
売り注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代金データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行する構成とされ、
前記仲介業者サーバの前記証券会社口座入出金処理手段は、
売り注文の場合には、前記証券会社サーバから前記ネットワークを介して送信されてくる前記売買結果情報に含まれる前記証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データから前記売買結果情報に含まれる前記売付代金データを減算することによる前記証券会社口座データベースからの前記売付代金データの出金処理を含む決済処理を実行し、
買い注文の場合には、前記証券会社サーバから前記ネットワークを介して送信されてくる前記売買結果情報に含まれる証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データに前記売買結果情報に含まれる前記買付代金データを加算することによる前記証券会社口座データベースへの前記買付代金データの入金処理を含む決済処理、または前記仲介業者以外の業者のシステムに前記証券会社口座識別情報および前記買付代金データを送信することによる前記仲介業者以外の業者に開設された前記証券会社の口座のデータ管理用の前記証券会社口座データベースへの前記買付代金データのネットワークを介した送金処理を含む決済処理を実行する構成とされている
ことを特徴とする有価証券売買取引システム。
【請求項３】
前記証券会社サーバは、
前記仲介業者サーバの前記顧客口座入出金処理手段による決済処理を補完する処理を実行する顧客口座入出金補完処理手段を備え、
この顧客口座入出金補完処理手段は、
確定した前記売付代金データ若しくは前記買付代金データのうち前記仲介業者サーバの前記顧客口座入出金処理手段により決済処理が行われない分に相当する補完分の金額データについて、
売り注文の場合には、前記仲介業者サーバから前記ネットワークを介して送信されてくる前記売買取次情報に含まれる前記顧客口座識別情報、または前記顧客により予め指定されて前記証券会社サーバに接続された顧客指定口座記憶手段に記憶されている顧客口座識別情報をキーとして、前記証券会社に開設された前記顧客の口座のデータ管理用の前記顧客口座データベースを検索し、該当する顧客の口座の残高データに前記売付代金データのうちの前記補完分の金額データを加算することによる前記顧客口座データベースへの前記売付代金データのうちの前記補完分の金額データの入金処理を含む決済処理を実行し、
買い注文の場合には、前記仲介業者サーバから前記ネットワークを介して送信されてくる前記売買取次情報に含まれる前記顧客口座識別情報、または前記顧客により予め指定されて前記証券会社サーバに接続された顧客指定口座記憶手段に記憶されている顧客口座識別情報をキーとして、前記証券会社に開設された前記顧客の口座のデータ管理用の前記顧客口座データベースを検索し、該当する顧客の口座の残高データから前記買付代金データのうちの前記補完分の金額データを減算することによる前記顧客口座データベースからの前記買付代金データのうちの前記補完分の金額データの出金処理を含む決済処理を実行する構成とされている
ことを特徴とする請求項１または２に記載の有価証券売買取引システム。
【請求項４】
前記仲介業者サーバは、
前記顧客の少なくとも一つの口座の残高データを前記顧客口座データベースから取得する処理を実行する口座残高データ取得手段と、
この口座残高データ取得手段により取得した前記顧客の口座の残高データが、前記売買指示情報受信手段により受信した前記売買指示情報に含まれる買い注文の場合の前記売買数量データを用いて算出される前記顧客による買い注文に応じることができる許容額データ以上か否かを判断する処理を実行する残高チェック処理手段とを備え、
前記仲介業者サーバには、前記仲介業者または前記証券会社に開設された前記顧客の口座を識別するための顧客口座識別情報を各顧客毎に記憶する顧客口座識別情報記憶手段が接続され、
前記口座残高データ取得手段は、
前記顧客口座識別情報記憶手段から該当する顧客の口座を識別するための顧客口座識別情報を取得し、この顧客口座識別情報をキーとして、前記仲介業者に開設された前記顧客の一つ若しくは複数の口座のデータ管理用の前記顧客口座データベースを検索することにより前記顧客口座データベースから該当する顧客の一つ若しくは複数の口座の残高データを取得する処理、または前記証券会社に開設された前記顧客の一つ若しくは複数の口座のデータ管理用の前記顧客口座データベースから前記証券会社サーバおよび前記ネットワークを介して前記顧客の一つ若しくは複数の口座の残高データを取得する処理のうちの少なくとも一つの処理を実行する構成とされ、
前記証券会社サーバおよび前記ネットワークを介して前記顧客の一つ若しくは複数の口座の残高データを取得する処理は、
前記顧客口座識別情報記憶手段から該当する顧客の口座を識別するための顧客口座識別情報を取得し、この顧客口座識別情報を前記証券会社サーバに送信することにより、前記証券会社に開設された前記顧客の一つ若しくは複数の口座のデータ管理用の前記顧客口座データベースに対する前記証券会社サーバによる検索処理を経て抽出された該当する顧客の一つ若しくは複数の口座の残高データを、前記証券会社サーバから前記ネットワークを介して受信する処理と、
前記顧客口座識別情報記憶手段から該当する顧客の口座を識別するための顧客口座識別情報を取得し、この顧客口座識別情報をキーとして、前記証券会社に開設された前記顧客の一つ若しくは複数の口座のデータ管理用の前記顧客口座データベースを複写して形成されて前記仲介業者サーバに接続された複写顧客口座データベースを検索することにより前記複写顧客口座データベースから該当する顧客の一つ若しくは複数の口座の残高データを取得する処理とのうちのいずれか一方の処理である
ことを特徴とする請求項１〜３のいずれかに記載の有価証券売買取引システム。
【請求項５】
前記仲介業者サーバの前記口座残高データ取得手段は、
前記仲介業者サーバに接続された前記顧客口座識別情報記憶手段に、前記買付代金データの出金処理を含む決済処理用の口座となり得る前記顧客の複数の口座をそれぞれ識別するための複数の顧客口座識別情報が記憶されている場合には、これらの複数の顧客口座識別情報を用いて前記複数の口座の残高データをこれらの各口座のデータ管理用の前記顧客口座データベースから取得する処理を実行する構成とされ、
前記仲介業者サーバの前記残高チェック処理手段は、
前記売買指示情報受信手段により受信した前記売買指示情報に、前記顧客により前記買付代金データの出金処理を含む決済処理用の口座として選択された複数の口座についての複数の顧客口座識別情報が含まれている場合には、これらの複数の顧客口座識別情報の各口座の残高データの合計額データが、前記顧客による買い注文に応じることができる前記許容額データ以上か否かを判断する処理を実行する構成とされている
ことを特徴とする請求項４に記載の有価証券売買取引システム。
【請求項６】
前記仲介業者サーバには、
成行注文が行われた場合の値幅制限の基準値データとなる前日の株価の終値データまたは気配値データを記憶する基準値記憶手段が接続され、
前記仲介業者サーバの前記売買指示情報受信手段により受信する前記売買指示情報には、成行・指値の別を示すデータ、および指値注文の場合の指値データが含まれ、
前記仲介業者サーバの前記残高チェック処理手段は、
前記売買指示情報受信手段により受信した前記売買指示情報に含まれる成行・指値の別を示すデータが指値注文の場合には、前記売買指示情報に含まれる買い注文の場合の前記売買数量データと前記指値データとを乗じて試算された買付代金データ並びにこの試算された買付代金データに応じた委託手数料データおよび消費税データを合計した必要金額データを、即時決済取引の場合の前記許容額データとして用いるか、前記必要金額データに一定割合を乗じた金額データを、普通取引の場合の前記許容額データとして用い、
前記売買指示情報受信手段により受信した前記売買指示情報に含まれる成行・指値の別を示すデータが成行注文の場合には、前記基準値記憶手段に記憶された前記基準値データを取得し、基準値データと制限値幅データとの対応関係を記憶する制限値幅テーブルを参照して、前記基準値記憶手段から取得した前記基準値データに対応する制限値幅データを取得し、前記基準値データに前記制限値幅データを加算して買付単価の上限値データを算出し、算出した前記買付単価の上限値データに、前記売買指示情報に含まれる買い注文の場合の前記売買数量データを乗じて買付代金データの変動額の最大値データを算出し、算出した最大値データ並びにこの最大値データに応じた委託手数料データおよび消費税データを合計した金額データを、即時決済取引の場合の前記許容額データとして用いるか、前記買付代金データの変動額の最大値データ並びにこの最大値データに応じた委託手数料データおよび消費税データを合計した金額データに一定割合を乗じた金額データを、普通取引の場合の前記許容額データとして用いる処理を実行する構成とされている
ことを特徴とする請求項４または５に記載の有価証券売買取引システム。
【請求項７】
前記仲介業者サーバは、
前記残高チェック処理手段による処理で前記顧客の口座の残高データが前記許容額データ以上であると判断された場合に、前記顧客の口座の残高データのうち少なくとも前記許容額データに相当する分について前記顧客の自由使用を禁止するか、または前記証券会社サーバの前記売買結果情報送信手段により前記ネットワークを介して送信されてきた前記売買結果情報に含まれる確定した前記買付代金データを用いて算出される修正した修正許容額データに相当する分について前記顧客の自由使用を禁止するホールド処理を実行する口座ホールド処理手段を備えている
ことを特徴とする請求項４〜６のいずれかに記載の有価証券売買取引システム。
【請求項８】
前記仲介業者サーバは、
前記顧客の少なくとも一つの口座の残高データを前記顧客口座データベースから取得する処理を実行する口座残高データ取得手段を備え、
前記仲介業者サーバには、前記仲介業者または前記証券会社に開設された前記顧客の口座を識別するための顧客口座識別情報を各顧客毎に記憶する顧客口座識別情報記憶手段が接続され、
前記仲介業者サーバの前記口座残高データ取得手段は、
前記仲介業者サーバに接続された前記顧客口座識別情報記憶手段に、前記買付代金データの出金処理を含む決済処理用の口座となり得る前記顧客の複数の口座をそれぞれ識別するための複数の顧客口座識別情報が記憶されている場合には、
前記顧客口座識別情報記憶手段から該当する顧客の口座を識別するための顧客口座識別情報を取得し、この顧客口座識別情報をキーとして、前記仲介業者に開設された前記顧客の一つ若しくは複数の口座のデータ管理用の前記顧客口座データベースを検索することにより前記顧客口座データベースから該当する顧客の一つ若しくは複数の口座の残高データを取得する処理、または前記証券会社に開設された前記顧客の一つ若しくは複数の口座のデータ管理用の前記顧客口座データベースから前記証券会社サーバおよび前記ネットワークを介して前記顧客の一つ若しくは複数の口座の残高データを取得する処理のうちの少なくとも一つの処理を実行することにより、前記顧客の複数の口座の残高データを取得する処理を実行する構成とされ、
前記証券会社サーバおよび前記ネットワークを介して前記顧客の一つ若しくは複数の口座の残高データを取得する処理は、
前記顧客口座識別情報記憶手段から該当する顧客の口座を識別するための顧客口座識別情報を取得し、この顧客口座識別情報を前記証券会社サーバに送信することにより、前記証券会社に開設された前記顧客の一つ若しくは複数の口座のデータ管理用の前記顧客口座データベースに対する前記証券会社サーバによる前記顧客口座識別情報をキーとした検索処理を経て抽出された該当する顧客の一つ若しくは複数の口座の残高データを、前記証券会社サーバから前記ネットワークを介して受信する処理と、
前記顧客口座識別情報記憶手段から該当する顧客の口座を識別するための顧客口座識別情報を取得し、この顧客口座識別情報をキーとして、前記証券会社に開設された前記顧客の一つ若しくは複数の口座のデータ管理用の前記顧客口座データベースを複写して形成されて前記仲介業者サーバに接続された複写顧客口座データベースを検索することにより前記複写顧客口座データベースから該当する顧客の一つ若しくは複数の口座の残高データを取得する処理とのうちのいずれか一方の処理であり、
前記仲介業者サーバの前記入力画面送信手段による送信処理を実行して前記顧客端末装置に画面表示される前記売買指示入力画面には、
前記顧客が買い注文を行う場合に、前記買付代金データの出金処理を含む決済処理用の口座として、前記顧客が前記仲介業者への開設口座と前記証券会社への開設口座とを合わせて複数の口座を開設している場合に、これらの複数の口座のうちから少なくとも一つの口座を選択し、かつ、選択した口座から引き落とす金額データを各口座毎に個別に入力指定するための引落金額入力指定部と、
前記口座残高データ取得手段により前記顧客の複数の口座の残高データを取得した場合に、これらの複数の口座の残高データを各口座毎に個別に表示する口座残高表示部とが設けられている
ことを特徴とする請求項１〜７のいずれかに記載の有価証券売買取引システム。
【請求項９】
前記仲介業者サーバは、
前記顧客が前記証券会社の管理下で保有している前記有価証券の保有情報を、前記証券会社サーバに接続された顧客証券保有情報データベースから前記証券会社サーバおよび前記ネットワークを介して取得する処理を行うか、または前記仲介業者サーバに接続された売買仲介情報記録用の売買仲介データベースから取得する処理を行う証券残高データ取得手段を備え、
前記証券会社サーバおよび前記ネットワークを介して取得する処理は、
前記売買指示情報に含まれる仲介業者用顧客識別情報を証券会社用顧客識別情報に変換して前記証券会社サーバに送信するか、前記売買指示情報に含まれる前記証券会社用顧客識別情報を前記証券会社サーバに送信するか、前記仲介業者用顧客識別情報を前記証券会社サーバに送信して前記証券会社サーバで前記証券会社用顧客識別情報に変換させるか、または前記証券会社用顧客識別情報と共通化されている前記仲介業者用顧客識別情報を前記証券会社サーバに送信することにより、前記顧客証券保有情報データベースに対する前記証券会社サーバによる前記証券会社用顧客識別情報をキーとした検索処理を経て抽出された該当する顧客の前記有価証券の保有情報を、前記証券会社サーバから前記ネットワークを介して受信する処理と、
前記証券会社用顧客識別情報をキーとして、前記顧客証券保有情報データベースを複写して形成されて前記仲介業者サーバに接続された複写顧客証券保有情報データベースを検索することにより、前記複写顧客証券保有情報データベースから該当する顧客の前記有価証券の保有情報を取得する処理とのうちのいずれか一方の処理であり、
前記売買仲介データベースから取得する処理は、
前記売買指示情報に含まれる前記仲介業者用顧客識別情報をキーとして、前記売買仲介データベースを検索することにより、前記売買仲介データベースから該当する顧客の前記有価証券の保有情報を取得する処理であり、
前記仲介業者サーバの前記入力画面送信手段による送信処理を実行して前記顧客端末装置に画面表示される前記売買指示入力画面には、
前記顧客が売り注文を行う場合に、前記売付代金データの入金または送金処理を含む決済処理用の口座として、前記顧客が前記仲介業者への開設口座と前記証券会社への開設口座とを合わせて複数の口座を開設している場合に、これらの複数の口座のうちから少なくとも一つの口座を選択し、かつ、選択した口座で受け取る金額データを各口座毎に個別に入力指定するための受取金額入力指定部と、
前記証券残高データ取得手段により取得した前記有価証券の保有情報を表示する証券残高表示部とが設けられている
ことを特徴とする請求項１〜８のいずれかに記載の有価証券売買取引システム。
【請求項１０】
前記仲介業者サーバの前記入力画面送信手段による送信処理を実行して前記顧客端末装置に画面表示される前記売買指示入力画面には、
前記顧客が前記決済処理用の口座として選択した各口座について入力指定した金額データの合計額データと、前記証券会社サーバの前記売買処理手段による売買処理を実行して確定した前記売付代金データ若しくは前記買付代金データに基づく実際の入出金の金額データとが一致しない場合に、予め定められた取り決めに従って入出金処理を行う際の優先順位を各口座毎に個別に設定するための優先順位設定部が設けられている
ことを特徴とする請求項８または９に記載の有価証券売買取引システム。
【請求項１１】
前記仲介業者サーバは、
証券価格情報提供システムまたは前記証券会社サーバから前記ネットワークを介して前記有価証券の時価情報を取得する処理を実行する時価情報取得手段を備え、
前記仲介業者サーバの前記入力画面送信手段による送信処理を実行して前記顧客端末装置に画面表示される前記売買指示入力画面には、
前記顧客が売買注文する前記有価証券の前記銘柄情報、前記売買数量データ、成行・指値の別を示すデータ、および指値注文の場合の指値データを含む注文内容情報を入力する注文内容指定部と、
この注文内容指定部に入力された前記成行・指値の別を示すデータが成行注文の場合には、前記有価証券の前記売買数量データに、前記時価情報取得手段により取得した前記有価証券の時価情報を乗じ、前記成行・指値の別を示すデータが指値注文の場合には、前記有価証券の前記売買数量データに、前記指値データを乗じることにより算出した売付代金データまたは買付代金データを含む売買に関する決済金額の試算額データを表示する試算額表示部とが設けられている
ことを特徴とする請求項１〜１０のいずれかに記載の有価証券売買取引システム。
【請求項１２】
前記証券会社サーバの前記仲介業者口座入出金処理手段による前記入金処理を含む決済処理、前記送金処理を含む決済処理、および前記出金処理を含む決済処理には、前記仲介業者の口座の残高データに前記証券会社が前記仲介業者に支払う仲介手数料データを加算することによる前記仲介業者への前記仲介手数料データの支払処理が含まれることを特徴とする請求項１，３〜１１のいずれかに記載の有価証券売買取引システム。
【請求項１３】
前記仲介業者サーバの前記証券会社口座入出金処理手段による前記入金処理を含む決済処理、前記送金処理を含む決済処理、および前記出金処理を含む決済処理には、前記証券会社の口座の残高データから前記証券会社が前記仲介業者に支払う仲介手数料データを減算することによる前記仲介業者への前記仲介手数料データの支払処理が含まれることを特徴とする請求項２〜１１のいずれかに記載の有価証券売買取引システム。
【請求項１４】
前記仲介業者サーバの前記顧客口座入出金処理手段による前記入金処理を含む決済処理、前記送金処理を含む決済処理、および前記出金処理を含む決済処理には、前記顧客の口座の残高データから売買注文の委託手数料データおよび売買取引に伴う税金データを減算することによる前記委託手数料データおよび前記税金データの支払処理が含まれることを特徴とする請求項１〜１３のいずれかに記載の有価証券売買取引システム。
【請求項１５】
前記証券会社サーバの前記顧客口座入出金補完処理手段による前記入金処理を含む決済処理、前記送金処理を含む決済処理、および前記出金処理を含む決済処理には、前記顧客の口座の残高データから売買注文の委託手数料データおよび売買取引に伴う税金データを減算することによる前記委託手数料データおよび前記税金データの支払処理が含まれることを特徴とする請求項３に記載の有価証券売買取引システム。
【請求項１６】
証券会社により運用・管理されて顧客の注文に基づき有価証券の売買に関する処理を実行する証券会社サーバ、および、前記顧客が操作する顧客端末装置と、ネットワークを通じて接続され、前記顧客と前記証券会社とを仲介する仲介業者により運用・管理されて仲介に関する処理を実行する仲介業者サーバであって、
前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行する入力画面送信手段と、
この入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行する売買指示情報受信手段と、
この売買指示情報受信手段により受信した前記売買指示情報に基づき、前記銘柄情報および前記売買数量データを含むか、これらの前記銘柄情報および前記売買数量データに加えて仲介業者口座識別情報を含むか、前記銘柄情報、前記売買数量データ、および前記顧客口座識別情報を含むか、またはこれらの前記銘柄情報、前記売買数量データ、および前記顧客口座識別情報に加えて仲介業者口座識別情報を含む売買取次情報を作成してこの売買取次情報を前記ネットワークを介して前記証券会社サーバに送信する処理を実行する売買取次情報送信手段と、
売り注文の場合には、前記顧客端末装置から前記ネットワークを介して送信されてくる前記売買指示情報若しくは前記証券会社サーバから前記ネットワークを介して送信されてくる売買結果情報に含まれる顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行する顧客口座入出金処理手段と
を備えることを特徴とする仲介業者サーバ。
【請求項１７】
顧客と証券会社とを仲介する仲介業者により運用・管理されて仲介に関する処理を実行する仲介業者サーバと、ネットワークを通じて接続された証券会社サーバであって、
前記仲介業者サーバから前記ネットワークを介して送信されてくる売買取次情報に含まれる銘柄情報および売買数量データを、証券取引所システムまたは他の売買取引システムへ送信することにより前記有価証券の売買処理を実行する売買処理手段と、
前記売買処理手段による売買処理を実行して約定した取引についての前記売買数量データと約定単価とを乗じて得られる確定した売付代金データ若しくは買付代金データを含むか、またはこれらの確定した売付代金データ若しくは買付代金データに加えて前記売買取次情報に含まれる前記顧客口座識別情報を含む売買結果情報を、前記ネットワークを介して前記仲介業者サーバに送信する処理を実行する売買結果情報送信手段と、
売り注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の仲介業者口座データベースを検索し、該当する仲介業者の口座の残高データに前記売付代金データを加算することによる前記仲介業者口座データベースへの前記売付代金データの入金処理を含む決済処理、前記仲介業者サーバに前記仲介業者口座識別情報および前記売付代金データを送信することによる前記仲介業者に開設された前記仲介業者の口座のデータ管理用の前記仲介業者口座データベースへの前記売付代金データのネットワークを介した送金処理を含む決済処理、または前記仲介業者以外の業者のシステムに前記仲介業者口座識別情報および前記売付代金データを送信することによる前記仲介業者以外の業者に開設された前記仲介業者の口座のデータ管理用の前記仲介業者口座データベースへの前記売付代金データのネットワークを介した送金処理を含む決済処理のうちの少なくとも一つの決済処理を実行し、
買い注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の前記仲介業者口座データベースを検索し、該当する仲介業者の口座の残高データから前記買付代金データを減算することによる前記仲介業者口座データベースからの前記買付代金データの出金処理を含む決済処理を実行する仲介業者口座入出金処理手段と
を備えることを特徴とする証券会社サーバ。
【請求項１８】
証券会社により運用・管理されて顧客の注文に基づき有価証券の売買に関する処理を実行する証券会社サーバ、および、前記顧客が操作する顧客端末装置と、ネットワークを通じて接続され、前記顧客と前記証券会社とを仲介する仲介業者により運用・管理されて仲介に関する処理を実行する仲介業者サーバであって、
前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行する入力画面送信手段と、
この入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行する売買指示情報受信手段と、
この売買指示情報受信手段により受信した前記売買指示情報に基づき、前記銘柄情報および前記売買数量データを含むか、またはこれらの前記銘柄情報および前記売買数量データに加えて前記顧客口座識別情報を含む売買取次情報を作成してこの売買取次情報を前記ネットワークを介して前記証券会社サーバに送信する処理を実行する売買取次情報送信手段と、
売り注文の場合には、前記顧客端末装置から前記ネットワークを介して送信されてくる前記売買指示情報若しくは前記証券会社サーバから前記ネットワークを介して送信されてくる売買結果情報に含まれる顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代金データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行する顧客口座入出金処理手段と、
売り注文の場合には、前記証券会社サーバから前記ネットワークを介して送信されてくる前記売買結果情報に含まれる証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データから前記売買結果情報に含まれる前記売付代金データを減算することによる前記証券会社口座データベースからの前記売付代金データの出金処理を含む決済処理を実行し、
買い注文の場合には、前記証券会社サーバから前記ネットワークを介して送信されてくる前記売買結果情報に含まれる証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データに前記売買結果情報に含まれる前記買付代金データを加算することによる前記証券会社口座データベースへの前記買付代金データの入金処理を含む決済処理、または前記仲介業者以外の業者のシステムに前記証券会社口座識別情報および前記買付代金データを送信することによる前記仲介業者以外の業者に開設された前記証券会社の口座のデータ管理用の前記証券会社口座データベースへの前記買付代金データのネットワークを介した送金処理を含む決済処理を実行する証券会社口座入出金処理手段と
を備えることを特徴とする仲介業者サーバ。
【請求項１９】
顧客と証券会社とを仲介する仲介業者により運用・管理されて仲介に関する処理を実行する仲介業者サーバと、ネットワークを通じて接続された証券会社サーバであって、
前記仲介業者サーバから前記ネットワークを介して送信されてくる売買取次情報に含まれる銘柄情報および売買数量データを、証券取引所システムまたは他の売買取引システムへ送信することにより前記有価証券の売買処理を実行する売買処理手段と、
この売買処理手段による売買処理を実行して約定した取引についての前記売買数量データと約定単価とを乗じて得られる確定した売付代金データ若しくは買付代金データを含むか、これらの確定した売付代金データ若しくは買付代金データに加えて前記売買取次情報に含まれる前記顧客口座識別情報を含むか、確定した前記売付代金データ若しくは前記買付代金データに加えて証券会社口座識別情報を含むか、または確定した前記売付代金データ若しくは前記買付代金データおよび前記顧客口座識別情報に加えて証券会社口座識別情報を含む売買結果情報を、前記ネットワークを介して前記仲介業者サーバに送信する処理を実行する売買結果情報送信手段と
を備えることを特徴とする証券会社サーバ。
【請求項２０】
有価証券の売買取引を行う顧客が操作する顧客端末装置と、証券会社により運用・管理されて前記顧客の注文に基づき前記有価証券の売買に関する処理を実行するコンピュータにより構成された証券会社サーバと、前記顧客と前記証券会社とを仲介する仲介業者により運用・管理されて仲介に関する処理を実行するコンピュータにより構成された仲介業者サーバとをネットワークで接続しておき、
前記仲介業者サーバの入力画面送信手段が、前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行し、
前記仲介業者サーバの売買指示情報受信手段が、前記入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行し、
前記仲介業者サーバの売買取次情報送信手段が、前記売買指示情報受信手段により受信した前記売買指示情報に基づき、前記銘柄情報および前記売買数量データを含むか、これらの前記銘柄情報および前記売買数量データに加えて仲介業者口座識別情報を含むか、前記銘柄情報、前記売買数量データ、および前記顧客口座識別情報を含むか、またはこれらの前記銘柄情報、前記売買数量データ、および前記顧客口座識別情報に加えて仲介業者口座識別情報を含む売買取次情報を作成してこの売買取次情報を前記ネットワークを介して前記証券会社サーバに送信する処理を実行した後、
前記証券会社サーバの売買処理手段が、前記売買取次情報送信手段により前記仲介業者サーバから前記ネットワークを介して送信されてくる前記売買取次情報に含まれる前記銘柄情報および前記売買数量データを、証券取引所システムまたは他の売買取引システムへ送信することにより前記有価証券の売買処理を実行し、
前記証券会社サーバの仲介業者口座入出金処理手段が、前記売買処理手段による売買処理を実行して約定した取引についての前記売買数量データと約定単価とを乗じて得られる確定した売付代金データ若しくは買付代金データを用いて、前記仲介業者の口座のデータ管理用の仲介業者口座データベースへの前記売付代金データの入金若しくは送金処理または前記仲介業者口座データベースからの前記買付代金データの出金処理を含む決済処理を実行し、
前記証券会社サーバの売買結果情報送信手段が、前記売買処理手段による売買処理を実行して約定した取引についての前記売買数量データと約定単価とを乗じて得られる確定した前記売付代金データ若しくは前記買付代金データを含むか、またはこれらの確定した前記売付代金データ若しくは前記買付代金データに加えて前記売買取次情報に含まれる前記顧客口座識別情報を含む売買結果情報を、前記ネットワークを介して前記仲介業者サーバに送信する処理を実行し、
その後、前記仲介業者サーバの顧客口座入出金処理手段が、前記売買結果情報送信手段により前記証券会社サーバから前記ネットワークを介して送信されてくる前記売買結果情報に含まれる確定した前記売付代金データ若しくは前記買付代金データを用いて、前記顧客の口座のデータ管理用の顧客口座データベースへの前記売付代金データの少なくとも一部の入金若しくは送金処理または前記顧客口座データベースからの前記買付代金データの少なくとも一部の出金処理を含む決済処理を実行し、
前記仲介業者サーバの前記顧客口座入出金処理手段による処理を実行する際には、
売り注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代金データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行し、
前記証券会社サーバの前記仲介業者口座入出金処理手段による処理を実行する際には、
売り注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の仲介業者口座データベースを検索し、該当する仲介業者の口座の残高データに前記売付代金データを加算することによる前記仲介業者口座データベースへの前記売付代金データの入金処理を含む決済処理、前記仲介業者サーバに前記仲介業者口座識別情報および前記売付代金データを送信することによる前記仲介業者に開設された前記仲介業者の口座のデータ管理用の前記仲介業者口座データベースへの前記売付代金データのネットワークを介した送金処理を含む決済処理、または前記仲介業者以外の業者のシステムに前記仲介業者口座識別情報および前記売付代金データを送信することによる前記仲介業者以外の業者に開設された前記仲介業者の口座のデータ管理用の前記仲介業者口座データベースへの前記売付代金データのネットワークを介した送金処理を含む決済処理のうちの少なくとも一つの決済処理を実行し、
買い注文の場合には、前記仲介業者サーバから前記ネットワークを介して送信されてくる前記売買取次情報に含まれる前記仲介業者口座識別情報、または前記仲介業者により予め指定されて前記証券会社サーバに接続された仲介業者指定口座記憶手段に記憶されている仲介業者口座識別情報をキーとして、前記証券会社に開設された前記仲介業者の口座のデータ管理用の前記仲介業者口座データベースを検索し、該当する仲介業者の口座の残高データから前記買付代金データを減算することによる前記仲介業者口座データベースからの前記買付代金データの出金処理を含む決済処理を実行する
ことを特徴とする有価証券売買取引方法。
【請求項２１】
有価証券の売買取引を行う顧客が操作する顧客端末装置と、証券会社により運用・管理されて前記顧客の注文に基づき前記有価証券の売買に関する処理を実行するコンピュータにより構成された証券会社サーバと、前記顧客と前記証券会社とを仲介する仲介業者により運用・管理されて仲介に関する処理を実行するコンピュータにより構成された仲介業者サーバとをネットワークで接続しておき、
前記仲介業者サーバの入力画面送信手段が、前記顧客が前記有価証券の売買注文のための銘柄情報および売買数量データを含むか、またはこれらの銘柄情報および売買数量データに加えて顧客口座識別情報を含む売買指示情報を入力するための売買指示入力画面の表示用情報を、前記ネットワークを介して前記顧客端末装置に送信する処理を実行し、
前記仲介業者サーバの売買指示情報受信手段が、前記入力画面送信手段による送信処理を実行して前記顧客端末装置に画面表示された前記売買指示入力画面を用いて前記顧客により入力された前記売買指示情報を、前記顧客端末装置から前記ネットワークを介して受信する処理を実行し、
前記仲介業者サーバの売買取次情報送信手段が、前記売買指示情報受信手段により受信した前記売買指示情報に基づき、前記銘柄情報および前記売買数量データを含むか、またはこれらの前記銘柄情報および前記売買数量データに加えて前記顧客口座識別情報を含む売買取次情報を作成してこの売買取次情報を前記ネットワークを介して前記証券会社サーバに送信する処理を実行した後、
前記証券会社サーバの売買処理手段が、前記売買取次情報送信手段により前記仲介業者サーバから前記ネットワークを介して送信されてくる前記売買取次情報に含まれる前記銘柄情報および前記売買数量データを、証券取引所システムまたは他の売買取引システムへ送信することにより前記有価証券の売買処理を実行し、
前記証券会社サーバの売買結果情報送信手段が、前記売買処理手段による売買処理を実行して約定した取引についての前記売買数量データと約定単価とを乗じて得られる確定した売付代金データ若しくは買付代金データを含むか、これらの確定した売付代金データ若しくは買付代金データに加えて前記売買取次情報に含まれる前記顧客口座識別情報を含むか、確定した前記売付代金データ若しくは前記買付代金データに加えて証券会社口座識別情報を含むか、または確定した前記売付代金データ若しくは前記買付代金データおよび前記顧客口座識別情報に加えて証券会社口座識別情報を含む売買結果情報を、前記ネットワークを介して前記仲介業者サーバに送信する処理を実行し、
その後、前記仲介業者サーバの顧客口座入出金処理手段が、前記売買結果情報送信手段により前記証券会社サーバから前記ネットワークを介して送信されてくる前記売買結果情報に含まれる確定した前記売付代金データ若しくは前記買付代金データを用いて、前記顧客の口座のデータ管理用の顧客口座データベースへの前記売付代金データの少なくとも一部の入金若しくは送金処理または前記顧客口座データベースからの前記買付代金データの少なくとも一部の出金処理を含む決済処理を実行し、
前記仲介業者サーバの証券会社口座入出金処理手段が、前記売買結果情報送信手段により前記証券会社サーバから前記ネットワークを介して送信されてくる前記売買結果情報に含まれる確定した前記売付代金データ若しくは前記買付代金データを用いて、前記証券会社の口座のデータ管理用の証券会社口座データベースからの前記売付代金データの出金処理または前記証券会社口座データベースへの前記買付代金データの入金若しくは送金処理を含む決済処理を実行し、
前記仲介業者サーバの前記顧客口座入出金処理手段による処理を実行する際には、
売り注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データに前記売買結果情報に含まれる前記売付代金データの少なくとも一部の金額データを加算することによる前記顧客口座データベースへの前記売付代金データの少なくとも一部の金額データの入金処理を含む決済処理、または前記仲介業者以外の業者のシステムに前記顧客口座識別情報および前記売付代金データの少なくとも一部の金額データを送信することによる前記仲介業者以外の業者に開設された前記顧客の口座のデータ管理用の前記顧客口座データベースへの前記売付代金データの少なくとも一部の金額データのネットワークを介した送金処理を含む決済処理のうちの少なくとも一方の決済処理を実行し、
買い注文の場合には、前記顧客端末装置から前記ネットワークを介して送信されてくる前記売買指示情報若しくは前記証券会社サーバから前記ネットワークを介して送信されてくる前記売買結果情報に含まれる前記顧客口座識別情報、または前記顧客により予め指定されて前記仲介業者サーバに接続された顧客指定口座記憶手段に記憶されている顧客口座識別情報をキーとして、前記仲介業者に開設された前記顧客の口座のデータ管理用の前記顧客口座データベースを検索し、該当する顧客の口座の残高データから前記売買結果情報に含まれる前記買付代金データの少なくとも一部の金額データを減算することによる前記顧客口座データベースからの前記買付代金データの少なくとも一部の金額データの出金処理を含む決済処理を実行し、
前記仲介業者サーバの前記証券会社口座入出金処理手段による処理を実行する際には、
売り注文の場合には、前記証券会社サーバから前記ネットワークを介して送信されてくる前記売買結果情報に含まれる前記証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データから前記売買結果情報に含まれる前記売付代金データを減算することによる前記証券会社口座データベースからの前記売付代金データの出金処理を含む決済処理を実行し、
買い注文の場合には、前記証券会社サーバから前記ネットワークを介して送信されてくる前記売買結果情報に含まれる証券会社口座識別情報、または前記証券会社により予め指定されて前記仲介業者サーバに接続された証券会社指定口座記憶手段に記憶されている証券会社口座識別情報をキーとして、前記仲介業者に開設された前記証券会社の口座のデータ管理用の前記証券会社口座データベースを検索し、該当する証券会社の口座の残高データに前記売買結果情報に含まれる前記買付代金データを加算することによる前記証券会社口座データベースへの前記買付代金データの入金処理を含む決済処理、または前記仲介業者以外の業者のシステムに前記証券会社口座識別情報および前記買付代金データを送信することによる前記仲介業者以外の業者に開設された前記証券会社の口座のデータ管理用の前記証券会社口座データベースへの前記買付代金データのネットワークを介した送金処理を含む決済処理を実行する
ことを特徴とする有価証券売買取引方法。
【請求項２２】
請求項１〜１５のいずれかに記載の有価証券売買取引システムとして、請求項１６または１８に記載の仲介業者サーバとして、あるいは、請求項１７または１９に記載の証券会社サーバとして、コンピュータを機能させるためのプログラム。